【手続補正書】
【提出日】平成21年3月13日(2009.3.13)
【手続補正１】
【補正対象書類名】特許請求の範囲
【補正対象項目名】全文
【補正方法】変更
【補正の内容】
【特許請求の範囲】
【請求項１】
ポリマーフィルム上に支持されたマイクロ波エネルギー相互作用材料の実質的に連続した層、および該マイクロ波エネルギー相互作用材料の層の少なくとも一部分上に存在する非紙ベース熱安定化試薬、からなるマイクロ波エネルギー相互作用ウェブであって、
該マイクロ波エネルギー相互作用材料の層と該ポリマーフィルムがマイクロ波エネルギーに十分に曝されることにより収縮するように適合して多次元構造を形成し、および
該熱安定化試薬が多次元構造の形成を制御する水蒸気を放出する材料からなる熱安定化試薬である、マイクロ波エネルギー相互作用ウェブ。
【請求項２】
前記熱安定化試薬が水和固体を含む、請求項１に記載のマイクロ波エネルギー相互作用ウェブ。
【請求項３】
前記熱安定化試薬が、水和鉱物、水和水を有する結晶性無機化学物質、水和水を有する天然鉱物、およびこれらの任意の組合せからなる群から選択される、請求項１に記載のマイクロ波エネルギー相互作用ウェブ。
【請求項４】
前記熱安定化試薬が、正リン酸マグネシウム、硫酸カルシウム、水酸化アルミニウム、炭酸カルシウム、シリカゲル、ベントナイト、石膏、クエン酸バリウム、クエン酸カルシウム、およびクエン酸マグネシウム、ならびにこれらの任意の組合せの水和物からなる群から選択される、請求項１に記載のマイクロ波エネルギー相互作用ウェブ。
【請求項５】
前記熱安定化試薬が、Ｍｇ３（ＰＯ４）２・２２Ｈ２Ｏ、ＭｇＨＰＯ４・３Ｈ２Ｏ、Ａｌ（ＯＨ）３・３Ｈ２Ｏ、ＣａＣＯ３・６Ｈ２Ｏ、Ｂａ（Ｃ６Ｈ５Ｏ７）２・７Ｈ２Ｏ、Ｃａ（Ｃ６Ｈ５Ｏ７）２・４Ｈ２Ｏ、およびＭｇ（Ｃ６Ｈ５Ｏ７）２・５Ｈ２Ｏからなる群から選択される、請求項１に記載のマイクロ波エネルギー相互作用ウェブ。
【請求項６】
前記熱安定化試薬が、吸蔵水材料、カプセル化水材料、水ガラス、およびこれらの任意の組合せからなる群から選択される、請求項１に記載のマイクロ波エネルギー相互作用ウェブ。
【請求項７】
前記吸蔵水材料が、シリカゲル、包接化合物、およびこれらの任意の組合せからなる群から選択される、請求項６に記載のマイクロ波エネルギー相互作用ウェブ。
【請求項８】
前記熱安定化試薬が、式：
（Ｎａ２ＯｘＳｉＯ２  ｘ=３〜５）
（式中、ｘは、約３〜約５である）
を有する化合物を含む水ガラスである、請求項６に記載のマイクロ波エネルギー相互作用ウェブ。
【請求項９】
前記熱安定化試薬が、熱への暴露によりガスを発生させるために組み合わせる１つまたは複数の物質を含む、請求項１に記載のマイクロ波エネルギー相互作用ウェブ。
【請求項１０】
前記物質が、重炭酸ナトリウムおよび酸を含む、請求項９に記載のマイクロ波エネルギー相互作用ウェブ。
【請求項１１】
前記マイクロ波エネルギー相互作用材料が酸化インジウムスズからなる、請求項１乃至１０のいずれかに記載のマイクロ波エネルギー相互作用ウェブ。
【請求項１２】
前記マイクロ波エネルギー相互作用材料が、アルミニウムを含む、請求項１乃至１０のいずれかに記載のマイクロ波エネルギー相互作用ウェブ。
【請求項１３】
さらに複数の金属フォイル部分を含む、請求項１乃至１２のいずれかに記載のマイクロ波エネルギー相互作用ウェブ。
【請求項１４】
前記マイクロ波エネルギー相互作用材料が第１ポリマーフィルム上に支持され、および前記熱安定化試薬が第１ポリマーフィルムと第２ポリマーフィルムとの間に位置するように、マイクロ波エネルギー相互作用ウエブがさらにマイクロ波エネルギー相互作用材料の層に実質的に結合している第２ポリマーフィルムを含む、請求項１乃至１３のいずれかに記載のマイクロ波エネルギー相互作用ウエブ。
【請求項１５】
前記マイクロ波エネルギー相互作用材料が第１ポリマーフィルム上に支持され、
前記マイクロ波エネルギー相互作用ウエブがさらにマイクロ波エネルギー相互作用材料の層に実質的に結合している第２ポリマーフィルムを含み、および
該第２ポリマーフィルムが熱安定化試薬を含有する、請求項１乃至１３のいずれかに記載のマイクロ波エネルギー相互作用ウエブ。
【請求項１６】
第１ポリマーフィルム上に支持されたマイクロ波エネルギー相互作用材料の実質的に連続した層を含むサセプタフィルム、
前記マイクロ波エネルギー相互作用材料の少なくとも一部の層上に存在する非紙ベース層、ここで非紙ベース層は水供給試薬からなる、および
予め決められたパターンで前記非紙ベース層に結合した第２ポリマーフィルムであり、それによって前記非紙ベース層と前記第２ポリマーフィルムとの間に少なくとも１つの独立気泡（セル）を形成する第２ポリマーフィルムを含む、加熱安定化マイクロ波エネルギー相互作用絶縁材料。
【請求項１７】
前記独立気泡が、マイクロ波エネルギーへの暴露に応じて膨れる、請求項１６に記載の絶縁材料。
【請求項１８】
前記マイクロ波エネルギー相互作用材料が酸化インジウムスズを含む、請求項１６または１７に記載の絶縁材料。
【請求項１９】
前記マイクロ波エネルギー相互作用材料がアルミニウムを含む、請求項１６または１７に記載の絶縁材料。
【請求項２０】
前記水供給試薬が、熱への暴露による放出水を含む、請求項１６乃至１９のいずれかに記載の絶縁材料。
【請求項２１】
前記水供給試薬が、水和固体、吸蔵水材料、カプセル化水材料、水ガラス、またはこれらの任意の組合せである、請求項１６乃至２０のいずれかに記載の絶縁材料。
【請求項２２】
前記第２ポリマーフィルムが、熱結合を使用して前記非紙ベース層に結合される、請求項１６乃至２１のいずれかに記載の絶縁材料。
【請求項２３】
前記第２ポリマーフィルムが、接着剤結合を使用して前記非紙ベース層に結合される、請求項１６乃至２１のいずれかに記載の絶縁材料。
【請求項２４】
第１ポリマーフィルム層上に支持されたマイクロ波エネルギー相互作用材料、
予め決められたパターンで前記マイクロ波エネルギー相互作用材料に結合した第２ポリマーフィルム層であり、それによって前記マイクロ波エネルギー相互作用材料と前記第２ポリマーフィルム層との間に少なくとも１つの独立気泡を形成する第２ポリマーフィルム層、および
前記少なくとも１つの独立気泡に隣接する、前記マイクロ波エネルギー相互作用材料または前記第２ポリマーフィルム層の少なくとも１つの少なくとも一部の上に存在するガス放出試薬、ここでガス放出試薬は紙層内で結合していない、
を含む、永続的に膨張可能なマイクロ波相互作用絶縁材料。
【請求項２５】
前記ガス放出試薬が、少なくとも１つの熱活性化試薬を含む、請求項２４に記載の絶縁材料。
【請求項２６】
前記ガス放出試薬が、少なくとも１つの発泡剤を含む、請求項２４に記載の絶縁材料。
【請求項２７】
前記発泡剤が、ｐ−ｐ’−オキシビス（ベンゼンスルホニルヒドラジド）、アゾジカルボンアミド、ｐ−トルエンスルホニルセミカルバジド、またはこれらの任意の組合せである、請求項２６に記載の絶縁材料。
【請求項２８】
前記第１ポリマーフィルムおよび前記第２ポリマーフィルムの少なくとも１つが遮蔽材料から形成される、請求項２４に記載の絶縁材料。
【請求項２９】
前記遮蔽材料が、エチレンビニルアルコール、バリアナイロン、ポリ塩化ビニリデン、バリアフルオロポリマー、ナイロン６、ナイロン６，６、共押出しナイロン６／ＥＶＯＨ／ナイロン６、酸化ケイ素被覆フィルム、バリアポリエチレンテレフタレート、およびこれらの任意の組合せからなる群から選択される、請求項２８に記載の絶縁材料。
【請求項３０】
前記独立気泡が、前記絶縁材料に対するマイクロ波エネルギーの適用に応じて膨れる、請求項２４に記載の絶縁材料。
【請求項３１】
前記独立気泡が、前記マイクロ波エネルギーの適用が停止した後の少なくとも約１分間は実質的に膨れたままで残る、請求項３０に記載の絶縁材料。
【請求項３２】
前記独立気泡が、前記マイクロ波エネルギーの適用が停止した後の少なくとも約５分間は実質的に膨れたままで残る、請求項３０に記載の絶縁材料。
【請求項３３】
前記マイクロ波エネルギー相互作用材料が、アルミニウムおよび酸化インジウムスズからなる群から選択される、請求項２４乃至３２のいずれかに記載の絶縁材料。
【請求項３４】
（ａ）第１ポリマーフィルム上に支持されたマイクロ波エネルギー相互作用材料の実質的に連続した層を含むサセプタフィルム、
（ｂ）前記マイクロ波エネルギー相互作用材料の層と重ね合わされた支持体層、
（ｃ）予め決められたパターンで前記支持体層に結合した第２ポリマーフィルムであり、それによって前記水分含有層と前記第２ポリマーフィルムとの間に少なくとも１つの独立気泡を形成する第２ポリマーフィルム、および
（ｄ）前記支持体層または前記第２ポリマーフィルムの少なくとも１つの上に存在する非紙ベースガス発生コーティング
を含む、永続的に膨張可能なマイクロ波相互作用絶縁材料。
【請求項３５】
前記第１ポリマーフィルムおよび前記第２ポリマーフィルムの少なくとも１つが遮蔽材料から形成される、請求項３４に記載の絶縁材料。
【請求項３６】
前記遮蔽材料が、エチレンビニルアルコール、バリアナイロン、ポリ塩化ビニリデン、バリアフルオロポリマー、ナイロン６、ナイロン６，６、共押出しナイロン６／ＥＶＯＨ／ナイロン６、酸化ケイ素被覆フィルム、バリアポリエチレンテレフタレート、およびこれらの任意の組合せからなる群から選択される、請求項３４に記載の絶縁材料。
【請求項３７】
前記ガス発生コーティングが、熱エネルギーに応じてガスを発生する少なくとも１つの試薬を含む、請求項３４に記載の絶縁材料。
【請求項３８】
前記ガスが二酸化炭素である、請求項３７に記載の絶縁材料。
【請求項３９】
前記独立気泡が、前記絶縁材料に対するマイクロ波エネルギーの適用に応じて膨れる、請求項３４に記載の絶縁材料。
【請求項４０】
前記独立気泡が、前記マイクロ波エネルギーの適用が停止した後の少なくとも約１分間は実質的に膨れたままで残る、請求項３４に記載の絶縁材料。
【請求項４１】
前記独立気泡が、前記マイクロ波エネルギーの適用が停止した後の少なくとも約５分間は実質的に膨れたままで残る、請求項３４に記載の絶縁材料。
【請求項４２】
ポリマーフィルム上に支持された実質的に連続したサセプタ、および該サセプタを覆う熱安定化試薬からなるきつね色に焼くおよび／またはカリカリに焼くことを意図された表面を有する食品アイテムを加熱するためのマイクロ波エネルギー相互作用シートであって、
該サセプタおよび該ポリマーフィルムはマイクロ波エネルギーに対して収縮する傾向を有し、それによって該サセプタは食品アイテムの表面により近接して接触し、および
該熱安定化試薬は、該サセプタと該ポリマーフィルムの収縮をコントロールする水蒸気を放出する、マイクロ波エネルギー相互作用シート。